(57)【要約】【課題】  冷蔵庫ドアの組立作業を容易にするだけでなく、冷蔵庫ドアの結合状態を堅固にし得る冷蔵庫ドアの側面パネル及びその結合構造を提供する。【解決手段】  冷蔵庫ドアの側面形状を有する覆蓋部231と、該覆蓋部231の一面縁部に所定厚さ及び高さに延長形成された挿合リブと、前記覆蓋部231の他方面に形成されて、冷蔵庫本体100に結合されたヒンジに挿合されるヒンジ挿合部232と、前記挿合リブの一方側に形成されて、冷蔵庫ドアの前面パネル210に係止されて固定結合される結合手段Cと、を含んで冷蔵庫ドアの側面パネルを構成する。【選択図】      図１
2004286435.tif 000002
【特許請求の範囲】
【請求項１】
冷蔵庫ドアの側面形状を有する覆蓋部と、
該覆蓋部の一面縁部に所定厚さ及び高さに延長形成された挿合リブと、
前記覆蓋部の他方面に形成されて、冷蔵庫本体に結合されたヒンジに挿合されるヒンジ挿合部と、
前記挿合リブの一方側に形成されて、冷蔵庫ドアの前面パネルに係止されて固定結合される結合手段と、を含んで構成されることを特徴とする冷蔵庫ドアの側面パネル。
【請求項２】
前記挿合リブは、前記覆蓋部の前方側及び両方側の枠部に形成されて、前記前面パネルの端部に挿合される前方側リブ部と、
前記覆蓋部の後方側の枠部に形成された後方側リブ部と、
前記覆蓋部の後方側枠部の両方端に前記後方側リブ部と所定間隔を有してそれぞれ形成された重畳リブ部と、
前記覆蓋部の両方側端において前記前方側リブ部の両方側面及び前記重畳リブ部に重畳するように、所定間隔を有して形成された外側リブ部と、から構成されることを特徴とする請求項１記載の冷蔵庫ドアの側面パネル。
【請求項３】
前記結合手段は、前面パネルの両方側面にそれぞれ装着されるように、前記挿合リブの両方側面にそれぞれ具備されることを特徴とする請求項１記載の冷蔵庫ドアの側面パネル。
【請求項４】
前記結合手段は、前記挿合リブの一方側に所定長さを有してカンチレバー状に形成されたスリットと、
該スリットの内部に形成されて、一方側が固定されて所定長さを有するカンチレバー状の弾性部と、
該弾性部の一方側面に延長突出された係止部と、から構成されることを特徴とする請求項１記載の冷蔵庫ドアの側面パネル。
【請求項５】
前記弾性部は、その長さ方向が冷蔵庫ドアの長さ方向と同じであることを特徴とする請求項４記載の冷蔵庫ドアの側面パネル。
【請求項６】
前記係止部は、前記挿合リブの外側に突出形成されて、前記弾性部の端部を内側より厚く形成したものであることを特徴とする請求項４記載の冷蔵庫ドアの側面パネル。
【請求項７】
前記係止部は、その側端面が三角形状に形成されることを特徴とする請求項６記載の冷蔵庫ドアの側面パネル。
【請求項８】
前記前面パネルの一方側に四角形状の貫通穴が形成されて、前記結合手段は、前記前面パネルの貫通穴に係止されて固定されることを特徴とする請求項１記載の冷蔵庫ドアの側面パネル。
【請求項９】
前記ヒンジ挿合部は、前記覆蓋部の長さ方向の両方端部にそれぞれ形成されることを特徴とする請求項１記載の冷蔵庫ドアの側面パネル。
【請求項１０】
両方端部が屈曲された四角形状に形成されて、冷蔵庫ドアの前面を構成する前面パネルと、該前面パネルの上方端又は下方端に結合される側面パネルと、前記前面パネルの内側面に結合される後面パネルと、を含んで構成された冷蔵庫ドアであって、
前記前面パネルの両方側面に貫通穴がそれぞれ形成されて、前記側面パネルの一方側に結合手段が具備され、前記側面パネルの結合手段が前記前面パネルの貫通穴に係止されて固定結合されることを特徴とする冷蔵庫ドアの側面パネル結合構造。
【請求項１１】
前記結合手段は、側面パネルの一方側にカンチレバー状を有して所定幅に形成されたスリットと、
該スリットの内部に形成されて、一方側が固定されて所定長さを有するカンチレバー状の弾性部と、該弾性部の一方側面に延長突出された係止部と、から構成されることを特徴とする請求項１０記載の冷蔵庫ドアの側面パネル結合構造。
【発明の詳細な説明】
【技術分野】
【０００１】
本発明は、冷蔵庫に係るもので、詳しくは、冷蔵庫ドアの組立作業を容易にするだけでなく、冷蔵庫ドアの結合状態を堅固にし得る冷蔵庫ドアの側面パネル及びその結合構造に関するものである。
【背景技術】
【０００２】
一般に、冷蔵庫の内部には冷凍サイクルシステムが装着され、該冷凍サイクルシステムを構成する蒸発器から発生する冷気が冷凍室及び冷蔵室を循環流動することで、それら冷凍室及び冷蔵室を冷たい状態に維持させ、使用者は冷蔵庫の冷凍室及び冷蔵室に食品を保管している。
【０００３】
前記冷蔵庫は、冷気循環方式、冷凍室及び冷蔵室の位置、並びに蒸発器の構成に従って多様な形態に分類される。
【０００４】
図3は一般の冷蔵庫を示した斜視図で、図示されたように、前記冷蔵庫は、内部に冷凍室(図示せず)及び冷蔵室(図示せず)が具備された冷蔵庫本体100と、該冷蔵庫本体100の一方側に回転自在に軸支されて、冷凍室及び冷蔵室をそれぞれ開閉する冷蔵庫ドア200と、を含んで構成されている。
【０００５】
又、前記冷蔵庫本体100には、冷凍サイクルシステムだけでなく、該冷凍サイクルシステムから発生される冷気を冷凍室及び冷蔵室に循環流動させる冷気循環流路が具備される。
【０００６】
又、前記冷蔵庫ドア200は、内部に断熱材が具備されることで、冷凍室又は冷蔵室を閉鎖した状態では、冷気が外部に伝達されることを遮断するようになる。
【０００７】
一方、このような冷蔵庫は、使用者の生活水準が高くなると大型化されるが、該大型化された冷蔵庫が台所や室内に位置することにより、使用者は、冷蔵庫の外形に高い関心を持つようになった。よって、冷蔵庫の前面を占める冷蔵庫ドア200は、外観を示す重要な要素であると共に、使用者が最も多く使用する部品であるため堅固に製作されるべきである。又、冷蔵庫ドア200は、冷蔵庫本体100と別途に製作された後で、該冷蔵庫本体100に軸支されるだけでなく、冷蔵庫ドア200の製作時に発泡剤を内部で発泡させた断熱材を挿入するため、堅固な組立構造が要求される。
【０００８】
従って、冷蔵庫を設計及び製作する製造業体は、冷蔵庫ドア200に関する研究を大いに進めている。
【０００９】
図4は本出願人が研究を進めている従来冷蔵庫ドアを部分的に分解して示した斜視図であり、図示されたように、前記冷蔵庫ドア200は、鋼板により形成された前面パネル210と、所定形状のプラスチックにより形成され、前記前面パネル210と所定間隔を有して該前面パネル210に結合された後面パネル220(内部ライナー)と、前記前面パネル210と後面パネル220の間に発泡させて挿入された断熱材(図示せず)と、前記前面パネル210及び後面パネル220の上及び下方端に結合された側面パネル230と、を含んで構成されている。
【００１０】
このとき、前記前面パネル210の形状によって、前記側面パネル230を冷蔵庫ドア200の一方側面のみに結合することもできる。
【００１１】
又、前記前面パネル210は、四角形状の鋼板により形成された前面部211と、該前面部211の両方側をそれぞれラウンディングさせた側面部212と、から構成され、前記前面パネル210の上及び下方側面は、一方側が開口された四角形状に形成される。
【００１２】
又、前記側面パネル230は、所定厚さ及び面積を有する覆蓋部231と、該覆蓋部231の一面縁部に所定厚さ及び高さに延長形成された挿合リブと、前記覆蓋部231の他方面の両方側にそれぞれ形成されたヒンジ挿合部232と、から構成される。
【００１３】
又、前記覆蓋部231は、前記前面パネル210の一方側端を覆蓋するために、該前面パネル210の一方側端の形状と相応して四角形状に形成される。
【００１４】
又、前記挿合リブは、前記覆蓋部231の前方側及び両方側の枠部に形成されて、前記前面パネル210の端部に挿合される前方側リブ部233と、前記覆蓋部231の後方側枠部に形成された後方側リブ部234と、前記覆蓋部231の後方側枠部の両方端に前記後方側リブ部234と所定間隔を有して所定長さにそれぞれ形成された重畳リブ部235と、前記覆蓋部231の両方側端で、前記前方側リブ部233の両方側面及び前記重畳リブ部235に重畳形成された外側リブ部236と、から構成される。
【００１５】
又、前記重畳リブ部235は、前記後方側リブ部234と重畳形成されて、それら重畳リブ部235と後方側リブ部234との間に前記後面パネル220の端部が挿合される。
【００１６】
又、前記外側リブ部236と前方側リブ部233の両方側間に前面パネル210の端部が挿合され、前記各外側リブ部236は、前面パネル210の両方側面の外側にそれぞれ装着される。
【００１７】
又、前記ヒンジ挿合部232は、前記挿合リブが形成された面の反対側である覆蓋部231の一面に所定内径及び深さに形成される。よって、前記ヒンジ挿合部232は、前記挿合リブ側に所定高さを有して丸棒状に突出形成される。
【００１８】
以下、前記側面パネル230と前記前面パネル210との結合構造を説明する。
まず、前記側面パネルの覆蓋部231が前記前面パネル210の下方端に覆蓋されて、その側面パネルの前方側リブ部233が前面パネル210の端部の内部に挿合される。又、前記前面パネル210の両方側端部は、前記前方側リブ部233の両方側とそれに隣接した外側リブ部236間に挿合される。又、前記外側リブ部236は、前記前面パネル210の両方側面の外側にそれぞれ装着される。
【００１９】
又、前記側面パネル230は、前面パネル210の上方端又は下方端のみに結合されるか、又は、前面パネル210の上方端及び下方端の全てに結合される。
【００２０】
一方、前記冷蔵庫ドア200を構成する後面パネル220の端部は、側面パネル230の重畳リブ部235と後方側リブ部234との間に挿合される。又、前記後面パネル220がテープにより前面パネル210に固定された後、前記前面パネル210、後面パネル220及び側面パネル230により形成された空間の内部に発泡剤を発泡させて充填し、該発泡剤は凝固されて断熱材になる。又、前記後面パネル220の枠部にはガスケット(図示せず)が取り付けられるが、該ガスケットは、冷蔵庫ドア200により冷凍室及び冷蔵室を閉鎖した状態において、冷気が外部に漏出されることを遮断する。
【００２１】
このように構成された冷蔵庫ドア200は、その側面パネル230のヒンジ挿合部232に、前記冷蔵庫本体100の一方側に結合された一対のヒンジ軸(図示せず)が挿合されることで、その冷蔵庫本体100に軸支される。
【発明の開示】
【発明が解決しようとする課題】
【００２２】
然るに、従来冷蔵庫ドア200は、前記側面パネル230及び前面パネル210を組立てるとき、その側面パネル230が所定長さを有するために、一方側の外側リブ部236が前面パネル210に組立てられ、他方側の外側リブ部236が前面パネル210に組立てられるとき、先に組立てられた外側リブ部236が外れたりして、組立作業が困難になるという不都合な点があった。
【００２３】
又、冷蔵庫ドア200を冷蔵庫本体100に軸支させるために、冷蔵庫ドア200を移動させるか、又は、冷蔵庫を移動させるときに、外部の衝撃が作用することで、側面パネル230が前面パネル210から外れるという不都合な点があった。
【００２４】
本発明は、このような従来の課題に鑑みてなされたもので、冷蔵庫ドアの組立作業を容易にするだけでなく、冷蔵庫ドアの結合状態を堅固にし得る冷蔵庫ドアの側面パネル及びその結合構造を提供することを目的とする。
【課題を解決するための手段】
【００２５】
このような目的を達成するため、本発明に係る冷蔵庫ドアの側面パネルは、冷蔵庫ドアの側面形状を有する覆蓋部と、該覆蓋部の一面縁部に所定厚さ及び高さに延長形成された挿合リブと、前記覆蓋部の他方面に形成されて、冷蔵庫本体に結合されたヒンジに挿合されるヒンジ挿合部と、前記挿合リブの一方側に形成されて、冷蔵庫ドアの前面パネルに係止されて固定結合される結合手段と、を含んで構成されることを特徴とする。
【００２６】
又、本発明に係る冷蔵庫ドアの側面パネル結合構造は、両方端部が屈曲された四角形状に形成されて、冷蔵庫ドアの前面に構成する前面パネルと、該前面パネルの上方端又は下方端に結合される側面パネルと、前記前面パネルの内側面に結合される後面パネルと、を含んで構成された冷蔵庫ドアであって、前記前面パネルの両方側面に貫通穴がそれぞれ形成されて、前記側面パネルの一方側に結合手段が具備され、前記側面パネルの結合手段が前記前面パネルの貫通穴に係止されて固定結合されることを特徴とする。
【発明の効果】
【００２７】
本発明に係る冷蔵庫ドアの側面パネル及びその結合構造は、側面パネルの挿合リブが前面パネルの端部に挿合されると共に、その側面パネルの結合手段が前面パネルの貫通穴に係止されて固定結合されるため、それら側面パネルと前面パネルとが堅固に結合されることとなり、冷蔵庫ドアの両方端の外観が美しくなるという効果がある。
【００２８】
又、前記側面パネルと前面パネルとの結合過程で、側面パネルの一方側を前面パネルに固定した後に、その側面パネルの他方側を前面パネルに結合する場合、反対側の固定された側面パネル部分の脱去が防止されるために、組立作業が容易になって、組立生産性を向上し得るという効果がある。
【００２９】
又、冷蔵庫ドアを冷蔵庫本体に移動させるか、又は冷蔵庫を移動させるとき、外部の衝撃が作用しても、側面パネルと前面パネルとが堅固に結合されているために、側面パネルが前面パネルから脱去されることが防止され、冷蔵庫ドア又は冷蔵庫の移動が一層自由になるだけでなく、信頼性を向上し得るという効果がある。
【発明を実施するための最良の形態】
【００３０】
以下、本発明の実施形態に関して、図面に基づいて説明する。
図1は本発明に係る冷蔵庫ドアの側面パネル及びその結合構造を分解して示した斜視図で、従来と同様な部分に対しては同様な符号が与えられている。
【００３１】
図示されたように、前記冷蔵庫ドアは、四角形状を有し、その両方側端部が屈曲された鋼板により形成された前面パネル210と、結合手段Cが具備されて前記前面パネル210の上及び下方端にそれぞれ結合される側面パネル230と、前記前面パネル210と所定間隔を有して、該前面パネル210に結合される後面パネル220(内部ライナー)と、前記前面パネル210と後面パネル220との間に発泡させて挿入される断熱材(図示せず)と、を含んで構成されている。
【００３２】
又、前記側面パネル230は、前記前面パネル210の形態によっては一方側端のみに結合されるが、前記前面パネル210の上及び下方端にそれぞれ結合される二つの側面パネル230は同様な形状に形成される。
【００３３】
又、前記前面パネル210は、四角形状の鋼板により形成された前面部211と、該前面部211の両方側をそれぞれラウンディングさせた側面部212と、該側面部212の上下部に貫通形成された貫通穴213と、から構成される。
【００３４】
又、前記側面パネル230は、前記前面パネル210の側面と相応して所定厚さに形成された覆蓋部231と、該覆蓋部231の一面縁部に所定厚さ及び高さに延長形成された挿合リブと、前記覆蓋部231の他方面に形成されて、冷蔵庫本体100に結合されたヒンジに挿合されるヒンジ挿合部232と、前記挿合リブの一方側に形成されて、冷蔵庫ドアの前面パネル210に係止されて固定結合される結合手段Cと、から構成される。
【００３５】
又、前記覆蓋部231は、前記前面パネル210の一方側端を覆蓋するために、その前面パネル210の一方側端の形状と相応して四角形状に形成される。
【００３６】
又、前記挿合リブは、前記覆蓋部231の前方側及び両方側の枠部に形成されて、前記前面パネル210の端部に挿合される前方側リブ部233と、前記覆蓋部231の後方側枠部に形成された後方側リブ部234と、前記覆蓋部231の後方側枠の両方側端に前記後方側リブ部234と所定間隔を有して所定長さにそれぞれ形成された重畳リブ部235と、前記覆蓋部231の両方側端で、前記前方側リブ部233の両方側面及び前記重畳リブ部235に重畳形成された外側リブ部236と、から構成される。
【００３７】
又、前記重畳リブ部235は、前記後方側リブ部234と重畳形成されて、それら重畳リブ部235と後方側リブ部234との間に前記後面パネル220の端部が挿合される。
【００３８】
又、前記前方側リブ部233の両方側と前記外側リブ部236との間に前面パネル210の端部がそれぞれ挿合されて、前記外側リブ部236は、前面パネル210の両方側面の外側に装着される。
【００３９】
又、前記ヒンジ挿合部232は、前記覆蓋部231の長さ方向の両方端部にそれぞれ形成され、前記覆蓋部231の長さ方向の一方側端部に一つだけ形成される。
【００４０】
且つ、前記ヒンジ挿合部232は、前記挿合リブが形成された面の反対側である覆蓋部231の一面に所定内径及び深さに形成される。よって、前記ヒンジ挿合部232は、前記挿合リブ側に所定高さを有して丸棒状に突出形成される。
【００４１】
又、前記結合手段Cは、前面パネル210の両方側面にそれぞれ装着されるように、挿合リブの両方側面にそれぞれ具備される。
【００４２】
且つ、前記結合手段Cは、挿合リブを構成する前方側リブ部233の両方側に形成されることが好ましく、図2に示したように、所定長さを有してカンチレバー状に形成されたスリット237と、該スリット237の内部に形成されて、一方側が固定されて所定長さを有するカンチレバー状の弾性部238と、該弾性部238の一方側面に延長突出形成された係止部239と、から構成される。
【００４３】
又、前記弾性部238は、所定幅及び長さを有して四角形状に形成され、その弾性部238の長さ方向は冷蔵庫ドア200の長さ方向と同様に形成される。
【００４４】
又、前記係止部239は、その側端面が三角形状に形成されて、その弾性部238の端部には、その係止部239の幅の広い部分が位置される。
以下、前記側面パネル230と前記前面パネル210との結合構造を説明する。
【００４５】
まず、前記側面パネルの覆蓋部231が前記前面パネル210の下方端に覆蓋されて、その側面パネルの前方側リブ部233が前面パネル210の内部に挿合される。又、前記前面パネル210の両方側端部は、前記前方側リブ部233の両方側とそれに隣接した外側リブ部236との間に挿合されて、前記前方側リブ部233の結合手段Cが前記前面パネル210の貫通穴213に挿合される。即ち、前記結合手段Cは、前記前面パネル210の端部が前記前方側リブ部233の両方側と外側リブ部236との間に挿合される過程で、その係止部239が前面パネル210に押圧されることで、弾性部238により弾支されて後方に押され、前記前面パネル210の貫通穴213と係止部239とが一致すると、その弾性部238の弾性力により係止部239が貫通穴213に挿合される。このとき、前記係止部239の端部は、前面パネル210の貫通穴213の内壁に係止されることで、逆方向に抜け出されることが防止される。
【００４６】
又、前記外側リブ部236は、前面パネル210の両方側面の外側にそれぞれ装着される。
又、前記側面パネル230は、前面パネル210の下方端のみに結合されるか、又は、前面パネル210の上方端及び下方端の全てに結合される。
【００４７】
一方、前記冷蔵庫ドア200を構成する後面パネル220の端部は、側面パネル230の重畳リブ部235と後方側リブ部234との間に挿合される。又、前記前面パネル210、後面パネル220及び側面パネル230により形成された空間の内部に発泡剤が発泡されて充填され、該発泡剤は凝固されて断熱材になる。又、前記後面パネル220に冷気漏出を遮断させるガスケット(図示せず)が取り付けられる。
【００４８】
このように構成された冷蔵庫ドア200は、その側面パネル230のヒンジ挿合部232に、前記冷蔵庫本体100の一方側に結合された一対のヒンジ軸(図示せず)が挿合されることで、その冷蔵庫本体100に軸支される。又、前記側面パネル230にヒンジ挿合部232が二つ具備される場合、冷蔵庫ドア200の開放方向を選択することができる。
【図面の簡単な説明】
【００４９】
【図１】本発明に係る冷蔵庫ドアの側面パネル及びその組立構造を示した分解斜視図である。
【図２】本発明に係る冷蔵庫ドアの側面パネルの結合手段を拡大して示した斜視図である。
【図３】一般の冷蔵庫を示した斜視図である。
【図４】従来冷蔵庫ドアを部分的に分解して示した斜視図である。
【符号の説明】
【００５０】
210…前面パネル
213…貫通穴
220…後面パネル
230…側面パネル
231…覆蓋部
232…ヒンジ挿合部
233…前方側リブ部
234…後方側リブ部
235…重畳リブ部
236…外側リブ部
237…スリット
238…弾性部
239…係止部
【図１】
2004286435.tif 000003
【図２】
2004286435.tif 000004
【図３】
2004286435.tif 000005
【図４】
2004286435.tif 000006